(57)【要約】 【課題】  設備機器の密集度が高い場合であっても、対象設備機器に装着したＲＦＩＤタグに容易に且つ確実にアクセスすることが可能なＲＦＩＤタグの情報読み取り／書き込み構造を提供し、ＲＦＩＤタグが装着可能な設備機器の範囲を拡大する。【解決手段】  ペン型に形成され、一端部に配設されたアンテナコイル部と、上記アンテナコイル部を被覆する先端部材と上記ＲＦＩＤタグの読み取り機能をＯＮ／ＯＦＦしうるスイッチ部とを備えるアンテナ装置において、上記先端部材の側面部と上記アンテナコイル部との間隔寸法は、上記先端部材の側面部を上記ＲＦＩＤタグに当接させた場合に、上記ＲＦＩＤタグが上記アンテナコイル部からの電波を受信しうる寸法に形成された構成とする。【選択図】  図４
2010086197.tif 000002
【特許請求の範囲】
【請求項１】
設備機器の外側面部に装着され、上記設備機器の管理情報が記録されたＩＣチップを格納するＲＦＩＤタグと、上記ＲＦＩＤタグの情報の読み取り及び書き込みを行う携帯端末と、ペン型に形成され、一端部に配設されたアンテナコイル部と上記アンテナコイル部を被覆しうる先端部材と上記ＲＦＩＤタグの読み取り機能をＯＮ／ＯＦＦしうるスイッチ部を備えるアンテナ装置とからなるＲＦＩＤタグの記録情報読み取り／書き込み構造であって、
上記先端部材の側面部と上記アンテナコイル部との間隔寸法は、上記先端部材の側面部を上記ＲＦＩＤタグに当接させた場合に、上記ＲＦＩＤタグが上記アンテナコイル部からの電波を受信しうる寸法に形成されていることを特徴とするＲＦＩＤタグの記録情報読み取り／書き込み構造。
【請求項２】
上記アンテナ装置は、略円筒状に形成され所定長を有するアンテナ装置本体部と、上記アンテナ装置本体部の一端部に、軸方向外方に突出して配設されたアンテナコイル部と、上記アンテナ装置本体部の一端部に嵌合すると共に上記アンテナコイル部を外方から被覆しうる先端部材とから形成され、
上記先端部材は、所定の厚さ寸法を有する中空略円錐形状に形成され、上記先端部材の側面部において、ＲＦＩＤタグに当接する位置には、上記アンテナ装置の軸方向に沿って形成される当接面部を有することを特徴とする請求項１記載のＲＦＩＤタグの記録情報読み取り／書き込み構造。
【請求項３】
上記当接面部は、上記先端部材の側面部において、上記先端部材の径方向において互いに対向する位置に２箇所設けられていることを特徴とする請求項２記載のＲＦＩＤタグの記録情報アクセス情報。
【請求項４】
上記当接面部は、上記先端部材の側面部において、周方向に沿って所定間隔離間して複数箇所設けられていることを特徴とする請求項２記載のＲＦＩＤタグの読み取り／書き込み構造。
【請求項５】
上記アンテナ装置は携帯端末装置のタッチパネルに対して入出力操作を行うタッチペンとして機能することを特徴とする請求項１〜４いずれか１項記載のＲＦＩＤタグの読み取り／書き込み構造。
【発明の詳細な説明】
【技術分野】
【０００１】
本発明は、設備機器の管理情報が記録されたＩＣチップを格納するＲＦＩＤタグと、上記ＲＦＩＤタグの情報の読み取り、及び書き込みを行う携帯端末と、上記携帯端末に接続され、上記ＲＦＩＤタグにアクセスするペン型アンテナ装置とからなるＲＦＩＤタグの記録情報読み取り／書き込み構造に関する。
【背景技術】
【０００２】
プラントを構成する各設備機器の管理情報を記録したＩＣチップを格納するＲＦＩＤタグを上記各設備機器に装着し、上記設備機器の点検／メンテナンス等の場合に、携帯端末を用いて上記ＲＦＩＤタグから上記設備機器の管理情報を読み取ると共に、作業終了時には点検結果等の情報を上記ＲＦＩＤタグに書き込むことによって、上記各設備機器を管理・運用するシステムは従来から存在している。
【０００３】
ＲＦＩＤタグは、バーコードと比較して、より多くの情報を記録することが可能であり、且つ情報の書き換えも容易である。
【０００４】
また、ＲＦＩＤタグは、非接触で情報の読み取り及び書き込みが可能であり、且つ複数のＲＦＩＤタグの情報を一括で読み取ることが可能であるという利点を有する。
しかしながら、食品プラント設備機器のように、同一種の機器が密集して配置されているような場合は、ハンディタイプの携帯端末であっても、各設備機器に装着されたＲＦＩＤタグに近接させることが困難であり、また特定する１台の情報を選択的に収集することは困難であった。
【０００５】
上記の問題を解決するため、図７に示すように、ＲＦＩＤタグ７０にアクセスするアンテナ装置７１を携帯端末７２から独立して設けると共に、上記アンテナ装置７１をペン型に形成することによって、各設備機器７３間の細い間隔７４にも容易に差し入れが可能であり、ＲＦＩＤタグ７０の情報の読み取り及び書き込み機能をＯＮ／ＯＦＦしうるスイッチ部７５を設け、読み取り若しくは書き込み対象となる設備機器のＲＦＩＤタグ７０に当接させた場合にのみ、情報の読み取り若しくは書き込みを行うＲＦＩＤタグの記録情報読み取り／書き込み構造は従来から存在している。
【０００６】
図６は従来のペン型アンテナ装置７１の全体側面図である。
図６に示すように、従来のペン型アンテナ装置７１は、略円筒状に形成され所定長を有するアンテナ装置本体部７６と、上記アンテナ装置本体部７６の一端部７７から突出して配設されるアンテナコイル部７８と、上記アンテナ装置本体部７６の一端部７７に嵌合され、上記アンテナコイル部７８を外方から被覆しうる、中空裁頭円錐状に形成された先端部材７９とから形成されている。
また、上記アンテナ装置本体部７６の側面の長さ方向略中央部には、上記アンテナ装置７１の読み取り及び書き込み機能をＯＮ．／ＯＦＦしうる押しボタン式のスイッチ部７５が配設され、上記アンテナ装置本体部７６の他端部側８２には、携帯端末７２（図６には図示せず）に接続する接続コード８３が接続されている。
【０００７】
図７に示すように、ＲＦＩＤタグ７０の情報にアクセスする場合は、裁頭先端部８０を読み取り対象のＲＦＩＤタグ７０に当接させた状態で、上記スイッチ部７５を押下することで、上記ＲＦＩＤ７０の情報の読み取り及び書き込みを行う。
上記操作によって、所定の設備機器に装着されたＲＦＩＤタグ７０に対してのみ、情報の読み取り若しくは書き込みを行うことが可能となる。
【０００８】
しかしながら、図７に示すように、従来のペン型アンテナ装置７１は、読み取り及び書き込み対象のＲＦＩＤタグ７０に先端部材７９の裁頭先端部８０を当接させる必要があるため、設備機器７３の密集度が高く、隣接する設備機器７３ａとの間隔７４の寸法が、上記アンテナ装置本体部７６の長さ寸法よりも小さい場合には、上記ＲＦＩＤタグ７０に対して上記裁頭先端部８０を当接させるために、上記設備機器７３と隣接する設備機器７３ａとの間に上記アンテナ装置本体部７６を配置しようとしても、隣接する設備機器７３ａが妨げとなって、上記設備機器７３と隣接する設備機器７３ａとの間に上記アンテナ装置本体部７６を上記アンテナ装置本体部７６の長さ方向に沿って上記設備機器７３に対するように配置することができず、上記ＲＦＩＤタグ７０の読み取り若しくは書き込み操作が困難となり、この結果、ＲＦＩＤタグ７０を装着可能な設備機器に制約が生じるという不具合を有していた。
また、図８に示すように、上記先端部材７９の側面部８１と上記アンテナコイル部７８との間隔寸法Ｑが大きいことから、図８に示すように、先端部材７９の側面部８１を上記ＲＦＩＤタグ７０に当接させても、上記ＲＦＩＤタグ７０が上記アンテナコイル部７８から発せられる電波を受信することができないため、情報の読み取り及び書き込みを行うことができなかった。
【発明の開示】
【発明が解決しようとする課題】
【０００９】
本発明の課題は、設備機器の密集度が高い場合であっても、対象設備機器に装着したＲＦＩＤタグに容易に且つ確実にアクセスすることが可能なＲＦＩＤタグの情報読み取り／書き込み構造を提供し、ＲＦＩＤタグを装着することが可能な設備機器の範囲を拡大することにある。
【００１０】
上記課題を解決するために、請求項１に記載の発明にあっては、設備機器の外側面部に装着され、前記設備機器の管理情報が記録されたＩＣチップを格納するＲＦＩＤタグと、上記ＲＦＩＤタグの情報の読み取り及び書き込みを行う携帯端末と、ペン型に形成され、一端部に配設されたアンテナコイル部と上記アンテナコイル部を被覆しうる先端部材と上記ＲＦＩＤタグの読み取り機能をＯＮ／ＯＦＦしうるスイッチ部を備えるアンテナ装置とからなるＲＦＩＤタグの記録情報読み取り／書き込み構造であって、上記先端部材の側面部と上記アンテナコイル部との間隔寸法は、上記先端部材の側面部を上記ＲＦＩＤタグに当接させた場合に、上記ＲＦＩＤタグが上記アンテナコイル部からの電波を受信しうる寸法に形成されていることを特徴とする。
【００１１】
従って、上記アンテナ装置を横向きにした状態のまま、上記先端部材の側面部を対象となる設備機器に装着されたＲＦＩＤタグに当接させることによって、設備機器の密集度が高い場合であっても、特定のＲＦＩＤタグの情報に容易にアクセスすることが可能となる。
【００１２】
また、請求項２に記載の発明にあっては、上記アンテナ装置は、略円筒状に形成され所定長を有するアンテナ装置本体部と、上記アンテナ装置本体部の一端部に、軸方向外方に突出して配設されたアンテナコイル部と、上記アンテナ装置本体部の一端部に嵌合すると共に上記アンテナコイル部を外方から被覆しうる先端部材とから形成され、上記先端部材は、所定の厚さ寸法を有する中空略円錐形状に形成され、上記先端部材の側面部において、ＲＦＩＤタグに当接する位置には、上記アンテナ装置の軸方向に沿って形成される当接面部を有することを特徴とする。
【００１３】
従って、上記アンテナ装置を横向きにした状態のまま、上記先端部材先端部材の当接面部を上記ＲＦＩＤタグに当接させることによって、設備機器の密集度が高い場合であっても、特定のＲＦＩＤタグの情報に容易にアクセスすることが可能となる。
また、当接面部が形成されていることからＲＦＩＤタグに当接させやすく、情報の読み取り及び書き込み操作を行い易くなる。
【００１４】
また、請求項３に記載の発明にあっては、上記当接面部は、上記先端部材の側面部において、上記先端部材の径方向において互いに対向する位置に２箇所設けられていることを特徴とする。
【００１５】
従って、アクセスするＲＦＩＤタグが互いに対向する位置に装着されている場合であっても、アンテナ装置本端部を周方向に回転させることなく、複数のＲＦＩＤタグに迅速にアクセスすることが可能となる。
【００１６】
また、請求項４に記載の発明にあっては、上記当接面部は、上記先端部材の側面部において、周方向に沿って所定間隔離間して複数箇所設けられていることを特徴とする。
【００１７】
従って、アクセスするＲＦＩＤタグの位置に関わらず、上記アンテナ装置を周方向に回転させる必要がなく、複数のＲＦＩＤタグに迅速にアクセスすることができる。
【００１８】
また、請求項５に記載の発明にあっては、上記アンテナ装置は携帯端末装置のタッチパネルに対して入出力操作を行うタッチペンとして機能することを特徴とする。
【００１９】
従って、携帯端末装置に入出力用のタッチペンを別途準備する必要がない。
【発明の効果】
【００２０】
請求項１のＲＦＩＤタグの記録情報読み取り／書き込み構造にあっては、先端部材の側面部と上記アンテナコイル部との間隔寸法は、上記先端部材の側面部を上記ＲＦＩＤタグに当接させた場合に、上記ＲＦＩＤタグが上記アンテナコイル部からの電波を受信しうる寸法に形成されていることから、密集して配置されている設備機器にＲＦＩＤタグが装着され、隣接する他の設備機器との間の間隔寸法が小さく、上記アンテナ装置を隣接する他の設備機器との間にアンテナ装置の長さ方向に沿って対象となる設備機器に対するように配置できない場合であっても、情報の読み取り／書き込みを行う対象のＲＦＩＤタグが装着された設備機器に対して、ペン型のアンテナ装置の幅方向に接近させることにより容易且つ確実に上記ＲＦＩＤタグにアクセスすることが可能なＲＦＩＤタグの情報読み取り／書き込み構造を提供することが可能であり、ＲＦＩＤタグを装着することが可能な設備機器範囲をより拡大することができる。
【００２１】
また、請求項２のＲＦＩＤタグの記録情報読み取り／書き込み構造にあっては、上記アンテナ装置は、略円筒状に形成され所定長を有するアンテナ装置本体部と、上記アンテナ装置本体部の一端部に、軸方向外方に突出して配設されたアンテナコイル部と、上記アンテナ装置本体部の一端部に嵌合すると共に上記アンテナコイル部を外方から被覆しうる先端部材とから形成され、上記先端部材は、所定の厚さ寸法を有する中空略円錐形状に形成され、上記先端部材の側面部において、ＲＦＩＤタグに当接する位置には、上記アンテナ装置の軸方向に沿って形成される当接面部を有することから、請求項１の効果に加え、よりＲＦＩＤタグに先端部材を当接させやすく、情報の読み取り及び書き込み操作を迅速に行うことが可能となる。
【００２２】
また、請求項３のＲＦＩＤタグの記録情報読み取り／書き込み構造にあっては、上記当接面部は、上記先端部材の側面部において、上記先端部材の径方向において互いに対向する位置に２箇所設けられていることから、請求項１の効果に加え、互いに対向する位置にＲＦＩＤタグが装着されている場合であっても、上記アンテナ装置を周方向に一回転させる必要がなく、情報の読み取り及び書込み操作を迅速に行うことが可能となる。
【００２３】
更に、請求項４のＲＦＩＤタグの記録情報読み取り／書き込み構造にあっては、上記当接面部は、上記先端部材の側面部において、周方向に沿って所定間隔離間して複数箇所設けられていることから、請求項３の効果に加え、上記アンテナ装置を周方向における小さな回転のみで、任意位置に配設されて複数のＲＦＩＤタグに迅速にアクセスすることが可能となる。
【００２４】
また、請求項５のＲＦＩＤタグの記録情報読み取り／書き込み構造にあっては、上記アンテナ装置は携帯端末装置のタッチパネルに対して入出力操作を行うタッチペンとして機能することから、ＲＦＩＤタグからの情報読み取り若しくは書込み操作と携帯端末への入出力操作が上記アンテナ装置のみで可能となり、メンテナンス・点検作業の効率が向上する。
【発明を実施するための最良の形態】
【００２５】
以下、本考案の実施の形態について図面を用いて説明する。
図４に示すように、本実施の形態に係るＲＦＩＤタグの記録情報読み取り／書き込み構造１０は、設備機器の管理情報が記録されたＩＣチップ１１を格納するＲＦＩＤタグ１２と、上記ＲＦＩＤタグ１２の情報の読み取り及び書き込みを行う携帯端末１３と、ペン型に形成され、一端部１４に配設されたアンテナコイル部１５と上記アンテナコイル部１５を被覆しうる先端部材１６と上記ＲＦＩＤタグ１２の読み取り機能をＯＮ／ＯＦＦしうるスイッチ部１７を備えるアンテナ装置１８とから構成されている。
また、図２に示すように、上記先端部材１６の側面部１９と上記アンテナコイル部１５との間隔寸法Ｐは、図４に示すように、上記先端部材１６の側面部１９を上記ＲＦＩＤタグ１２に当接させた場合に、上記ＲＦＩＤタグ１２が上記アンテナコイル部１５からの電波を受信しうる寸法に形成されている。
また、図４に示すように、上記アンテナ装置１８は、略円筒状に形成され所定長を有するアンテナ装置本体部２０と、上記アンテナ装置本体部２０の一端部１４に、軸方向外方に突出して配設されたアンテナコイル部１５と、上記アンテナ装置本体部２０の一端部１４に嵌合すると共に上記アンテナコイル部１５を外方から被覆しうる先端部材１６とから形成され、上記先端部材１６は、所定の厚さ寸法を有する中空略円錐形状に形成され、上記先端部材１６の側面部１９において、ＲＦＩＤタグ１２に当接する位置には、上記アンテナ装置１８の軸方向に沿って形成される当接面部２１を有している。
【実施例】
【００２６】
以下、添付図面を用いて本発明に係るＲＦＩＤタグの記録情報読み取り／書き込み構造を、食品製造プラントの液体製品の流通管路に密集して配設されたバルブ装置２７に適用した場合を例に詳細を説明する。
図１は、本実施例にかかるアンテナ装置１８の全体斜視図である。
図１に示すように、本実施例にかかるアンテナ装置１８の本体部２０は手で把持しうる径寸法の略円筒形状に形成され、一端部１４には先端部材１６が嵌合されている。
上記先端部材１６は、図３に示すように略円錐形状に形成された先端部材本体部２２と、上記先端部材本体部２２の底部に延設された２本の脚部２３ａ、２３ｂとからなり、上記脚部２３ａ、２３ｂの先端部には、上記先端部材本体部２２の径方向外方に突設された係合突起２４ａ、２４ｂ（図３には図示せず）が設けられている。
図２に示すように、上記先端部材１６は、上記脚部２３ａ，２３ｂ（図２には図示せず）を上記アンテナ装置本体部２０の一端部１４から挿入し、上記係合突起２４ａ、２４ｂ（図２には図示せず）を孔部２５ａ、２５ｂ（図２には図示せず）に係合することによって着脱可能に固定されている。
また、図１に示すように、上記アンテナ装置本体部２０の他端部３０側には、携帯端末１３（図１には図示せず）に接続する接続コード３１が接続されている。
また、図５は本実施例におけるＲＦＩＤタグ１２とカバー部材２６の平面図及び上記ＲＦＩＤタグ１２をバルブ装置２７への装着した状態を示す側方断面図を示している。
図５に示すように、本実施例におけるＲＦＩＤタグ１２は、バルブ装置２７の外側表面部にカバー部材２６によって固定されている。
上記 ＲＦＩＤタグ１２は、薄型の円盤状に形成され、一方面部の周縁部には、径方向外方に突出する鍔部２８が形成され、内部にはＩＣチップ１１が封入されている。
上記カバー部材２６は平面略長方形のシート状に形成され、中心部に上記ＲＦＩＤタグ１２と略同一径寸法を有する孔部２９が設けられ、一方面部には上記ＲＦＩＤタグ１２をバルブ装置２７の表面部に固定するための粘着剤が塗布されている。
【００２７】
上記ＲＦＩＤタグ１２の情報を上記アンテナ装置１８で読み取り若しくは書き込みを行う場合の操作について図面を用いて説明する。
図４は、本実施例にかかるアンテナ装置１８の先端部材１６の当接面部２１を上記ＲＦＩＤタグ１２に当接させた状態を示す側方断面図である。
図４に示すように、上記アンテナ装置１８を用いてＲＦＩＤタグ１２の情報の読み取り若しくは書き込みを行う場合は、上記アンテナ装置１８の本体部２０を手で把持し、上記ＲＦＩＤタグ１２に上記当接面部２１を当接させた状態で、指等によって上記アンテナ装置１８の本体部２０のスイッチ部１７を押下して、読み取り／書き込み機能をＯＮ状態とすることによって行う。
図４に示すように、上記アンテナ装置１８がペン型に形成されていることから、バルブ装置２７が密集して配置され、上記バルブ装置２７と隣接するバルブ装置２７ａとの間隔寸法Ｌが、上記アンテナ装置１８のアンテナ装置本体部１６の長さ寸法よりも短く、上記バルブ装置２７と隣接するバルブ装置２７ａとの間に上記アンテナ装置本体部１６を上記アンテナ装置本体部１６の長さ方向に沿って上記バルブ装置２７に対するように配置できない場合であっても、上記バルブ装置２７と隣接するバルブ装置２７ａとの間隔寸法Ｌが上記アンテナ装置本体部１６の径寸法よりも大きければ、上記バルブ装置２７の側方向若しくは上方向等から、上記アンテナ装置１８を上記バルブ装置２７と隣接するバルブ装置２７ａとの間に挿入し、上記先端部材１６の側面部１９に形成された上記当接面部２１を、読み取り／書き込みの対象となるＲＦＩＤタグ１２に当接させることで、上記ＲＦＩＤ  タグ１２の情報の読み取り／書き込みを行うことが可能となる。
従って、従来と異なり、上記アンテナ装置１８の先端部材１６の頂上部を上記ＲＦＩＤタグ１２に当接させるように上記アンテナ装置本体部１６を配置する必要がないことから、密集して配置されているバルブ装置２７にＲＦＩＤタグ１２が装着されている場合であっても、上記バルブ装置２７と隣接するバルブ装置２７ａとの間隔寸法が、上記アンテナ装置本体部１６の径寸法よりも大きく確保されていれば、読み込み／書き込み対象となるＲＦＩＤタグ１２に容易に且つ確実にアクセスすることが可能なＲＦＩＤタグの情報読み取り／書き込み構造１０を提供することが可能となり、ＲＦＩＤタグ１２を装着することが可能なバルブ装置２７の範囲をより拡大することができる。
また、先端部材１６の先端部は従来と異なり尖鋭に形成されているため、上記アンテナ装置１８を携帯端末１３のタッチパネルのタッチペンとして用いることが可能となり、点検・メンテナンス作業の効率をより向上させることができる。
【００２８】
なお、本実施例は、図２に示すように当接面部２１を先端部材１６の側面部１９に１箇所のみ設けた形態としたが、上記当接面部２１を必要に応じ上記先端部材１６の径方向において対向する位置に２箇所設けることも可能であり、更に上記先端部材１６の周方向に沿って所定間隔離間して複数箇所けることも可能である。
当接面部２１を複数箇所設けることによって、バルブ装置２７の間隔に複数のＲＦＩＤタグ１２が存在している場合であっても上記アンテナ装置１８を周方向における小さな回転のみで、任意位置に配設された複数のＲＦＩＤタグ１２の情報を迅速に読み込み／書き込みすることが可能となるため、点検・メンテナンス作業の効率をより一層向上させることが可能となる。
【産業上の利用可能性】
【００２９】
本発明は、設備機器の管理情報が記録されたＩＣチップを格納するＲＦＩＤタグと、上記ＲＦＩＤタグの情報の読み取り、及び書き込みを行う携帯端末と、上記携帯端末に接続され、上記ＲＦＩＤタグにアクセスするペン型アンテナ装置とからなるＲＦＩＤタグの記録情報読み取り／書き込み構造に適用することが可能である。
【図面の簡単な説明】
【００３０】
【図１】本発明の一実施の形態を示し、実施の形態におけるアンテナ装置の全体斜視図である。
【図２】本発明の一実施の形態を示し、実施の形態におけるアンテナ装置の先端部拡大側面図である。
【図３】本発明の一実施の形態を示し、実施の形態におけるアンテナ装置の先端部材の全体斜視図である。
【図４】本発明の一実施の形態を示し、実施の形態においてアンテナ装置の先端部材の当接面部をＲＦＩＤタグに当接させた状態を示す側方断面図である。
【図５】本発明の一実施の形態を示し、実施の形態におけるＲＦＩＤタグとカバー部材の平面図及び設備機器に取り付けた状態の側方断面図である。
【図６】従来のアンテナ装置の全体斜視図である。
【図７】従来のアンテナ装置によるＲＦＩＤタグの読み取り／書き込み構造を示す全体斜視図である。
【図８】従来のアンテナ装置の先端部拡大側面図である。
【符号の説明】
【００３１】
１０  ＲＦＩＤタグの読み取り／書き込み構造
１１  ＩＣチップ
１２  ＲＦＩＤタグ
１３  携帯端末
１４  アンテナ装置本体部の一端部
１５  アンテナコイル部
１６  先端部材
１７  スイッチ部
１８  アンテナ装置  
１９  先端部材の側面部  
２０  アンテナ装置本体部
２１  当接面部
２２  先端部材本体部
２３ａ先端部材脚部
２３ｂ先端部材脚部
２４ａ先端部材脚部の係合突起
２４ｂ先端部材脚部の係合突起
２５ａアンテナ装置本体部の孔部
２５ｂアンテナ装置本体部の孔部
２６  カバー部材
２７  バルブ装置
２７ａ  隣接するバルブ装置
２８  ＲＦＩＤタグの鍔部  
２９  カバー部材の孔部
３０  アンテナ装置本体部の他端部
３１  接続コード
７０  ＲＦＩＤタグ
７１  アンテナ装置
７２  携帯端末
７３  設備機器
７３ａ  隣接する設備機器
７４  設備機器の間隔  
７５  スイッチ部
７６  アンテナ装置本体部
７７  アンテナ装置本体部の一端部
７８  アンテナコイル部
７９  先端部材
８０  先端部材の裁頭先端部
８１  先端部材の側面部
８２  アンテナ装置本体部の他端部
８３  接続コード
Ｌ    隣接するバルブ装置の間隔寸法
Ｐ    先端部材雄側面部とアンテナコイル部との間隔寸法
Ｑ    従来の先端部材雄側面部とアンテナコイル部との間隔寸法
【図１】
2010086197.tif 000003
【図２】
2010086197.tif 000004
【図３】
2010086197.tif 000005
【図４】
2010086197.tif 000006
【図５】
2010086197.tif 000007
【図６】
2010086197.tif 000008
【図７】
2010086197.tif 000009
【図８】
2010086197.tif 000010